(57)【要約】【課題】  バックライト装置の照明品質を損なうことなく部品点数の低減が困難である。【解決手段】  透明部材よりなり略直方体形状をなし、対向する両面に出射面を有する導光板１と、導光板１の側面１aに光源を配置し、導光板１の表面及び裏面にそれぞれ拡散板４若しくは反射拡散板５と表側に第1及び第２集光フィルム６、７を、裏側に集光フィルム９配設し、これらの部材を収納するホルダー１０の底面に裏面LCDを照明するための開口部には、透光性樹脂の表面にプリズム８aを一体形成した集光補強部材８を嵌着させる。バックライト装置を構成する部材の中で、裏面側の1枚の集光フィルムを削減することにより、照明品質を損なうことなく、バックライト装置のコストを低減することができる。【選択図】    図１
2006331959.tif 000002
【特許請求の範囲】
【請求項１】
透明部材よりなり略直方体形状をなし、対向する両面に出射面を有する導光板と、該導光板の側面に光源を配置し、前記導光板の表面及び裏面にそれぞれ拡散板若しくは反射拡散板と集光フィルムを配設し、これらの部材を収納するホルダーには、その底面に裏面LCDを照明するための開口部を有し、該開口部にホルダーを補強するための透明樹脂よりなる補強板を配設したバックライト装置において、前記補強板の代わりに、透明樹脂の表面にプリズムを一体形成した集光補強部材を配設したことを特徴とするバックライト装置。
【請求項２】
前記導光板の表面及び裏面に配設したそれぞれ2枚の集光フィルムの中、裏面の導光板側の1枚の集光フィルムを補強板と一体成形した集光補強部材としたことを特徴とする請求項1記載のバックライト装置。
【請求項３】
前記導光板の表面及び裏面に配設したそれぞれ１枚の集光フィルムの中、裏面の1枚の集光フィルムを補強板と一体成形した集光補強部材としたことを特徴とする請求項1記載のバックライト装置。
【発明の詳細な説明】
【技術分野】
【０００１】
本発明は、電子機器の両面に背中合わせに配設した二つの液晶表示デバイスの中間に配設し、両面液晶表示デバイスをそれぞれ背面から照射するバックライト装置に関するものである。
【背景技術】
【０００２】
近年、各種パソコン、ゲーム機器、携帯電話などの電子機器の表示装置として、薄型で見易いバックライト機構を備えた液晶表示デバイスが広く用いられている。その中には、例えば、携帯電話のように、ケースの両面に互いに背中合わせに液晶表示デバイスの表示パネルを配設したものがある。従来、このような液晶表示デバイスのバックライトとして、表裏両面の液晶表示デバイスを照射するのに2組の照明ユニットを使用していた。しかしながら、2組の照明ユニットを用いるために、部品点数が多くなり、組み立て工数を増すと同時に、照明ユニットの厚みも厚くなり、重くなり、またコストアップになる。更に、両表示パネル用として、それどれ専用の光源（例えば、LED）を使用するので、消費電力も大きくなる。そこで、1組の照明ユニットで背中合わせの液晶表示デバイスを照射する両面発光照明ユニットの構造が提案されている。（例えば、特許文献１参照）
【特許文献１】特開２００４−７８０４７号公報（第６頁、図１）
【０００３】
上記した特許文献１に開示されているバックライト装置の概要について説明する。図５は、導光板の短辺にＬＥＤを配設した状態のバックライト装置の断面図、図６は、図５のC部（導光板）断面図、図７は、図５のD部（表面側の集光フィルム）断面図、図８は、図５のE部（裏面側の集光フィルム）断面図である。図５において、導光板２０は、透明なプラスチック部材などよりなる平面が略矩形形状をしており、その１つの側面２０aに光源としてＬＥＤ２１をプリント基板２２上に実装・配置する。該ＬＥＤ２１にて発光した光は、前記導光板２０に入射し、導光板２０内で反射を繰り返して伝搬される。その際、図６に示すように、導光板２０の下面の反射面２０bには所定の間隔で配設された鋸歯状で所定の傾斜角を有するプリズムが形成され、該プリズムによって反射もしくは屈折した光が導光板２０の上面若しくは下面から出射される。その後、導光板２０から出射した光は拡散板２３または反射拡散板２４を透過し、更に、図7及び図８に示すように、表側第１集光フィルム２５（２５aプリズム）、第２集光フィルム２６と裏側第１集光フィルム２７（２７aプリズム）、第２集光フィルム２８によって屈折され、図示しない表側ＬＣＤと裏側ＬＣＤの両方のＬＣＤを照射する。図５に示すように、２９は上記部材を収納するホルダー、３０は表側のマスキングフィルム、３１は裏側のマスキングフィルムである。前記ホルダー２９には裏側ＬＣＤを照明したい部分に開口部が設けられているため、ホルダー２９の強度不足を補うために、透光性樹脂からなる補強板３２が配設されている。
【０００４】
図９は、他の従来例であるバックライト装置の断面図、図１０は、図９のF部断面図、図１１は、図９のG部断面図である。図５に示した従来例と異なるところは、導光板２０の上下面に配設した集光フィルム２５（２５aプリズム）、２７（２７aプリズム）はそれぞれ1枚であり、その他の構成は上記した従来例と同様であるので、説明は省略する。
【発明の開示】
【発明が解決しようとする課題】
【０００５】
解決しようとする問題点は、近年、バックライト装置への要求は、輝度などの特性を高めるだけでなく、低コストであることも重要な要素となっている。即ち、バックライトを構成する部材として、概略、光源（LED）、プリント基板、導光板、反射板、拡散板、集光フィルム、ホルダー、など多岐にわたっている。そこで、照明品質を損なうことなく、バックライト装置のコストを下げることは困難であった。
【０００６】
本発明は、上述した欠点を解消するもので、その目的は、ホルダーの裏側LCDを照明する位置に形成された開口部に、透光性樹脂の表面にプリズムを一体的に形成した集光補強部材（集光フィルム＋補強板）を嵌着することにより、裏面側の集光フィルムを1枚省略することができる安価なバックライト装置を提供するものである。
【課題を解決するための手段】
【０００７】
上記課題を解決するために、本発明におけるバックライト装置は、透明部材よりなり略直方体形状をなし、対向する両面に出射面を有する導光板と、該導光板の側面に光源を配置し、前記導光板の表面及び裏面にそれぞれ拡散板若しくは反射拡散板と集光フィルムを配設し、これらの部材を収納するホルダーには、その底面に裏面LCDを照明するための開口部を有し、該開口部にホルダーを補強するための透明樹脂よりなる補強板を配設したバックライト装置において、前記補強板の代わりに、透明樹脂の表面にプリズムを一体形成した集光補強部材を配設したことを特徴とするものである。
【０００８】
また、前記導光板の表面及び裏面に配設したそれぞれ2枚の集光フィルムの中、裏面の導光板側の1枚の集光フィルムを補強板と一体成形した集光補強部材としたことを特徴とするものである。
【０００９】
また、前記導光板の表面及び裏面に配設したそれぞれ１枚の集光フィルムの中、裏面の1枚の集光フィルムを補強板と一体成形した集光補強部材としたことを特徴とするものである。
【発明の効果】
【００１０】
本発明のバックライト装置は、ホルダーの裏側LCDを照明する位置に形成された開口部において、裏面側の第１集光フィルム＋補強板を一体形成して、裏面側の集光フィルムを1枚省略し、バックライトを構成する部材を減らすことができ、バックライト装置のコストを低減することが可能である。
【発明を実施するための最良の形態】
【００１１】
本発明のパックライト装置について、図面に基づいて説明する。
【実施例１】
【００１２】
図１、図２は、本発明の実施例１に係わり、図１は、バックライト装置の断面図、図２は、図１のA部断面図である。図１において、導光板１は、透明なプラスチック部材などよりなる平面が略矩形形状をしており、その１つの側面１aに光源としてＬＥＤ２をプリント基板３上に実装・配置する。該ＬＥＤ２にて発光した光は、前記導光板１に入射し、導光板１内で反射を繰り返して伝搬される。前記導光板１の下面の反射面１bには所定の間隔で配設された鋸歯状で所定の傾斜角を有するプリズムが形成され、該プリズムによって反射もしくは屈折した光が導光板１の上面若しくは下面から出射される。その後、導光板１から出射した光は拡散板４または反射拡散板５を透過する。前記導光板１の上面には表側第１集光フィルム６、第２集光フィルム７を配設し、下面には従来例の補強板の代わりに、透明樹脂の表面にプリズム８aを一体形成した集光補強部材８（裏側第１集光フィルム＋補強板）を配設する。ここで、９は集光補強部材８の下面に配設した裏面集光フィルム、１０は上記部材を収納するホルダー、１１は表側のマスキングフィルム、１２は裏側のマスキングフィルムである。
【００１３】
上記した集光補強部材８は、図２に示すように、透光性樹脂板の下面にプリズム８aを形成したもので、図１に示すように、裏側ＬＣＤを照明したい部分に開口した開口部に嵌着されている。前記集光補強部材８は、集光フィルムの機能を有すると同時に、ホルダー１０の強度不足を補う機能を有している。
【００１４】
前記導光板１から出射した光は拡散板４または反射拡散板５を透過し、表側第１集光フィルム５、第２集光フィルム６と、前記集光補強部材８、集光フィルム９によって屈折され、図示しない表側ＬＣＤと裏側ＬＣＤの両方のＬＣＤを照射する。
【００１５】
上記構成のバックライト装置は、ホルダー１０の開口部に配設した集光補強部材８により、バックライトの照明機能を損なうことなく、裏側集光フィルムを1枚削減することが可能である。
【実施例２】
【００１６】
図３、図４は、本発明の実施例２に係わり、図３は、バックライト装置の断面図、図４は、図３のB部断面図である。図３、図４おいて、上記した実施例１と異なるところは、前記導光板１の表面及び裏面に配設したそれぞれ１枚の集光フィルムの中、裏面の1枚の集光フィルムを透明樹脂の表面にプリズム８aを一体形成して集光補強部材８(集光フィルム＋補強板)としたことである。従って、その作用効果は、実施例１と同様である。
【００１７】
以上述べたように、バックライト装置を構成する部材の中で、裏面側の1枚の集光フィルムを削減することにより、バックライトとしての照明品質を低下させることなく、コストを低減することができるバックライト装置を提供することが可能である。
【図面の簡単な説明】
【００１８】
【図１】本発明の実施例１に係わるバックライト装置の断面図である。
【図２】図１のバックライト装置のA部断面図である。
【図３】本発明の実施例２に係わるバックライト装置の断面図である。
【図４】図３のバックライト装置のB部断面図である。
【図５】従来のバックライト装置の断面図である。
【図６】図５のバックライト装置のC部断面図である。
【図７】図５のバックライト装置のD部断面図である。
【図８】図５のバックライト装置のE部断面図である。
【図９】従来の他のバックライト装置の断面図である。
【図１０】図９のバックライト装置のF部断面図である。
【図１１】図９のバックライト装置のG部断面図である。
【符号の説明】
【００１９】
１  導光板
１ａ  側面
１b  反射面
２  ＬＥＤ
３  プリント基板
４  拡散板
５  反射拡散板
６、７  表側集光フィルム
８  集光補強部材
８a  プリズム
９  裏側集光フィルム
１０  ホルダー
１１、１２  マスキングフィルム
【図１】
2006331959.tif 000003
【図２】
2006331959.tif 000004
【図３】
2006331959.tif 000005
【図４】
2006331959.tif 000006
【図５】
2006331959.tif 000007
【図６】
2006331959.tif 000008
【図７】
2006331959.tif 000009
【図８】
2006331959.tif 000010
【図９】
2006331959.tif 000011
【図１０】
2006331959.tif 000012
【図１１】
2006331959.tif 000013